(57)【要約】【課題】降下者の身体等への絡まりにくく、しかも緊急用落下傘が迅速に開傘する、誘導傘の放出コイルバネの固定構造を提供することを目的とする。【解決手段】誘導傘の放出コイルバネの固定構造９００は、落下傘収納袋８００内に収納された傘体４００を引き出す誘導傘３００を放出する放出コイルバネ１００と、放出コイルバネ１００を縮めて固定する固定紐２００と、を有する。固定紐２００は、放出コイルバネ１００の中心軸Ｃから、緊急用落下傘４２０で降下する降下者９９０の頭部の方へ偏心した位置で、放出コイルバネ１００を縮めて固定する。【選択図】図１
2010036749.tif 000002
【特許請求の範囲】
【請求項１】
収納袋内に収納された落下傘の傘体を、前記収納袋から引き出す誘導傘を放出する放出コイルバネと、
前記放出コイルバネを縮めて固定する固定紐と、を有し、
前記固定紐は、前記放出コイルバネの中心軸から、前記落下傘で降下する降下者の頭部の方へ偏心した位置で、前記放出コイルバネを縮めて固定する、
ことを特徴とする誘導傘の放出コイルバネの固定構造。
【請求項２】
前記放出コイルバネは、縮まった放出コイルバネが伸びる際に前記誘導傘を押し出す上皿を一方の端部に有するとともに、他方の端部に底板を有する、
ことを特徴とする請求項１記載の誘導傘の放出コイルバネの固定構造。
【請求項３】
前記上皿の縁部には、前記上皿の中心部よりも前記降下者の頭部の方へ偏心した位置に、ハトメ穴を有する一対の第１のハトメタブが設けられ、
前記底板の縁部には、前記底板の中心部よりも前記降下者の頭部の方へ偏心した位置に、ハトメ穴を有する一対の第２のハトメタブが設けられ、
前記固定紐は、前記一対の第１のハトメタブのハトメ穴と、前記一対の第２のハトメタブのハトメ穴と、を挿通して、前記放出コイルバネの中心軸から、前記落下傘で降下する降下者の頭部の方へ偏心した位置で、前記放出コイルバネを縮めて固定する、
ことを特徴とする請求項２記載の誘導傘の放出コイルバネの固定構造。
【請求項４】
前記収納袋内に収納された落下傘の傘体と前記底板との間に、該傘体側に設けられる第１の仕切布と、該底板側に設けられる第２の仕切布と、を有する、
ことを特徴とする請求項３記載の誘導傘の放出コイルバネの固定構造。
【請求項５】
前記固定紐は、両端部に閉ループ状に形成されたループ部を有し、
前記固定紐の一方のループ部は、前記一対の第２のハトメタブのうちの一方のハトメタブのハトメ穴を通過するとともに、前記一対の第１のハトメタブのうちの一方のハトメタブのハトメ穴を通過して、前記収納袋の包布に設けられた第１の包布穴を通って前記包布の外に突出し、
前記固定紐の他方のループ部は、前記一対の第２のハトメタブのうちの他方のハトメタブのハトメ穴を通過するとともに、前記一対の第１のハトメタブのうちの他方のハトメタブのハトメ穴を通過して、前記収納袋の包布に設けられた第２の包布穴を通って前記包布の外に突出し、
前記収納袋外に突出している前記固定紐の一方のループ部と、前記収納袋外に突出している前記固定紐の他方のループ部とに、それぞれリップコードピンが挿通されることにより、前記固定紐が前記放出コイルバネを縮めて固定し、
前記リップコードピンが、前記一方のループ部と前記他方のループ部とから引き抜かれることにより、前記固定紐による前記放出コイルバネの縮み状態が開放される、
ことを特徴とする請求項４記載の誘導傘の放出コイルバネの固定構造。
【請求項６】
前記第２の仕切布には一対のハトメ穴が形成されており、
前記固定紐の中央部は、前記第２の仕切布の一対のハトメ穴を通過するとともに、前記第２の仕切布の後ろ側を通過する、
ことを特徴とする請求項５記載の誘導傘の放出コイルバネの固定構造。
【請求項７】
前記上皿には、折り畳まれた誘導傘と、前記誘導傘が前記収納袋内から放出される際に前記誘導傘に慣性力を付与する重りと、が配置されている、
ことを特徴とする請求項３記載の誘導傘の放出コイルバネの固定構造。
【請求項８】
前記放出コイルバネは、ネットで覆われている、
ことを特徴とする請求項１乃至７の何れか１項に記載の誘導傘の放出コイルバネの固定構造。
【請求項９】
前記落下傘は、主傘に異常が発生した場合に使用する緊急用落下傘である、
ことを特徴とする請求項１乃至８の何れか１項に記載の誘導傘の放出コイルバネの固定構造。
【発明の詳細な説明】
【技術分野】
【０００１】
本発明は、誘導傘の放出コイルバネの固定構造に関する。より詳しくは、落下傘降下する空挺隊員等が主傘に異状が発生した場合等に使用する傘体が円形の緊急用落下傘を、傘体優先方式で落下傘収納袋から引き出す際に使用する誘導傘を落下傘収納袋から放出する放出コイルバネの固定構造に関する。
【背景技術】
【０００２】
空挺隊員等の降下者が主傘で降下する際、のろし状開傘、不完全開傘、あるいは傘体損傷等の主傘に異状が発生することや、主傘が落下傘収納袋から出ないことがある。
【０００３】
そのような場合は、降下者の命を救うため、予備の落下傘である緊急用落下傘が使用される。
【０００４】
この緊急用落下傘は、低高度においても出来る限り完全かつ迅速に開傘することが要求される。
【０００５】
そのために、一般には、開傘時に、サスペンションラインよりも傘体を先に展張させる方式である傘体優先方式が採用される。
【０００６】
傘体優先方式では、緊急用落下傘の傘体は、誘導傘と連結索とによって落下傘収納袋から引き出される。
【０００７】
しかしながら、落下傘収納袋からの緊急用落下傘の引き出され方によっては、緊急用落下傘の誘導傘や傘体が降下者の身体等に絡まる事態が発生しうる。
【０００８】
そのため、緊急用落下傘の傘体を引き出す誘導傘は、降下者の身体から適度に離れた絡まりにくい位置まで迅速に放出されることが望ましい。
【０００９】
例えば、非特許文献１には、誘導傘を降下者の身体から離れた位置まで放出させるため、リップコード等の作動により落下傘収納袋をオープンさせ、誘導傘を圧縮されたコイルバネの復元力を利用して放出させる手法が記載されている。
【００１０】
しかし、圧縮されたコイルバネが復元する際、真っすぐに復元しない場合があり、かかる場合は誘導傘の放出方向が意図しない方向になることがある。
【００１１】
例えば、主傘損傷等により降下者がほぼ垂直に吊下された状態において、誘導傘が降下者の足元方向に放出されることがある。
【００１２】
これでは、降下者の足元方向に放出された誘導傘が、降下者の身体に絡まる等の予期せぬ事態が発生しうる。
【００１３】
また、誘導傘が降下者の足元方向に放出された場合、誘導傘が比較的低い高度にて開くので、連結索が上方に伸びきって緊急用落下傘の傘体を引き出すまでに時間がかかる。
【００１４】
これでは、緊急用落下傘が完全に開傘し、降下速度が減速するための時間的余裕がなく、比較的速い降下速度で降下者が着地することで、降下者が受傷等することがありうる。
【非特許文献１】TM 10-1670-269-23&P UNIT AND DIRECTSUPPORT (DS) MAINTENANCE MANUAL FOR MODIFIED IMPROVED RESERVE PARACHUTESYSTEM(MIRPS)   米陸軍技術教範  ２００３年８月３１日発行
【発明の開示】
【発明が解決しようとする課題】
【００１５】
本発明は、このような課題に鑑みなされたものであり、降下者の身体等への絡まりが起こりにくく、しかも緊急用落下傘を迅速に開傘させる、誘導傘の放出コイルバネの固定構造を提供することを目的とする。
【課題を解決するための手段】
【００１６】
上記目的を達成するため、この発明の誘導傘の放出コイルバネの固定構造は、
収納袋内に収納された落下傘の傘体を、前記収納袋から引き出す誘導傘を放出する放出コイルバネと、
前記放出コイルバネを縮めて固定する固定紐と、を有し、
前記固定紐は、前記放出コイルバネの中心軸から、前記落下傘で降下する降下者の頭部の方へ偏心した位置で、前記放出コイルバネを縮めて固定する、ことを特徴とする。
【００１７】
また、前記放出コイルバネは、縮まった放出コイルバネが伸びる際に前記誘導傘を押し出す上皿を一方の端部に有するとともに、他方の端部に底板を有する、ことも可能である。
【００１８】
また、前記上皿の縁部には、前記上皿の中心部よりも前記降下者の頭部の方へ偏心した位置に、ハトメ穴を有する一対の第１のハトメタブが設けられ、
前記底板の縁部には、前記底板の中心部よりも前記降下者の頭部の方へ偏心した位置に、ハトメ穴を有する一対の第２のハトメタブが設けられ、
前記固定紐は、前記一対の第１のハトメタブのハトメ穴と、前記一対の第２のハトメタブのハトメ穴と、を挿通して、前記放出コイルバネの中心軸から、前記落下傘で降下する降下者の頭部の方へ偏心した位置で、前記放出コイルバネを縮めて固定する、ことも可能である。
【００１９】
また、前記収納袋内に収納された落下傘の傘体と前記底板との間に、該傘体側に設けられる第１の仕切布と、該底板側に設けられる第２の仕切布と、を有する、ことも可能である。
【００２０】
また、前記固定紐は、両端部に閉ループ状に形成されたループ部を有し、
前記固定紐の一方のループ部は、前記一対の第２のハトメタブのうちの一方のハトメタブのハトメ穴を通過するとともに、前記一対の第１のハトメタブのうちの一方のハトメタブのハトメ穴を通過して、前記収納袋の包布に設けられた第１の包布穴を通って前記包布の外に突出し、
前記固定紐の他方のループ部は、前記一対の第２のハトメタブのうちの他方のハトメタブのハトメ穴を通過するとともに、前記一対の第１のハトメタブのうちの他方のハトメタブのハトメ穴を通過して、前記収納袋の包布に設けられた第２の包布穴を通って前記包布の外に突出し、
前記収納袋外に突出している前記固定紐の一方のループ部と、前記収納袋外に突出している前記固定紐の他方のループ部とに、それぞれリップコードピンが挿通されることにより、前記固定紐が前記放出コイルバネを縮めて固定し、
前記リップコードピンが、前記一方のループ部と前記他方のループ部とから引き抜かれることにより、前記固定紐による前記放出コイルバネの縮み状態が開放される、ことも可能である。
【００２１】
また、前記第２の仕切布には一対のハトメ穴が形成されており、
前記固定紐の中央部は、前記第２の仕切布の一対のハトメ穴を通過するとともに、前記第２の仕切布の後ろ側を通過する、ことも可能である。
【００２２】
また、前記上皿には、折り畳まれた誘導傘と、前記誘導傘が前記収納袋内から放出される際に前記誘導傘に慣性力を付与する重りと、が配置されている、ことも可能である。
【００２３】
また、前記放出コイルバネは、ネットで覆われている、ことも可能である。
【００２４】
また、前記落下傘は、主傘に異常が発生した場合に使用する緊急用落下傘である、ことも可能である。
【発明の効果】
【００２５】
本発明の誘導傘の放出コイルバネの固定構造によれば、降下者の身体等へ緊急用落下傘が絡まりにくく、しかも、緊急用落下傘が迅速に開傘する。
【発明を実施するための最良の形態】
【００２６】
以下、本実施形態に係る誘導傘の放出コイルバネの固定構造９００を、図面を参照して説明するが、これらの実施形態は本発明の範囲を限定するものではない。
【００２７】
誘導傘の放出コイルバネの固定構造９００は、図１に示されるように、放出コイルバネ１００と、固定紐２００と、を有する。固定紐２００は、例えば、引張強度に優れる超高分子量ポリエチレン繊維にて形成される。なお、図１では、理解促進のために固定紐２００には斜線を付して説明してある。
【００２８】
落下傘収納袋８００内には、緊急用落下傘４００の傘体４２０が折り畳まれて収納されている。傘体４２０は例えば円形の傘体である。
【００２９】
緊急用落下傘４００は、例えば、落下傘降下する空挺隊員等が主傘に異状が発生した場合等に予備的に使用される。
【００３０】
図２に示されるように、落下傘収納袋８００は、例えば、降下者９９０の腹部付近に取り付けられる。なお、本実施形態において、降下者９９０の頭部方向（Ｚ軸矢印方向）を上方向とし、降下者９９０の脚部方向を下方向とする。また、降下者９９０の腹部方向（Ｘ軸矢印方向）を前方向とし、降下者９９０の背中方向を後方向とする。また、図面内容の理解促進のため、降下者９９０及び落下傘収納袋８００の大きさや縮尺等は、誇張して記載してある。
【００３１】
落下傘収納袋８００の降下者９９０への取付けは、落下傘収納袋８００の底部に設けられている装着用フック７１０を、例えば降下者９９０の図示されていないハーネス等に装着することにより行われる。
【００３２】
図１及び図２に示されるように、固定紐２００は、放出コイルバネ１００の中心軸Ｃから、緊急用落下傘４００で降下する降下者９９０の頭部の方へ（図２におけるＺ軸方向へ）偏心した位置で、前記放出コイルバネを縮めて固定する。
【００３３】
降下者９９０の頭部の方への偏心とは、図３に示されるように、例えば、放出コイルバネ１００の中心軸Ｃを示すＳ０から、半径ｒ方向に２割離れたＳ０．２以上半径ｒ方向に８割離れたＳ０．８以下の間とすることができる。降下者９９０の頭部の方への偏心がＳ０．２より小さい場合は、偏心の距離が小さく、後述するように、放出コイルバネ１００の中心軸Ｃより上方向位置の圧縮力が不十分となる可能性があるからである。一方、降下者９９０の頭部の方への偏心がＳ０．８より大きい場合は、固定紐２００が放出コイルバネ１００から外れる可能性がありうるからである。なお、Ｓ１は、Ｓ０から放出コイルバネ１００の半径ｒ離れたところである。
【００３４】
図１にもどり、傘体４２０の傘縁には、サスペンションライン４１０が設けられている。サスペンションライン４１０は、落下傘収納袋８００内の傘体４２０の後方に、折り畳まれて収納されている。
【００３５】
折り畳まれた傘体４２０の前方には、第１の仕切布８５０と第２の仕切布８６０とが設けられている。
【００３６】
連結索３２０は、誘導傘３００と傘体４２０の傘頂部とを連結する。
【００３７】
傘体４２０の傘頂部には傘頂キャップ３３０が設けられる。傘頂キャップ３３０は、誘導傘３００の抗力が連結索３２０を通して傘体４２０を落下傘収納袋８００から引き出す際に、傘体４２０の傘頂部を保護する。
【００３８】
図４（Ａ）〜図４（Ｃ）に示されるように、放出コイルバネ１００は、一方の端部（前方向の端部）に上皿１１０を有し、他方の端部（後方向の端部）に底板１２０を有する。
【００３９】
放出コイルバネ１００は、金属を捲回して形成されるコイルバネである。放出コイルバネ１００は、ネット１３０で覆われており、外部からの衝撃等から保護されている。
【００４０】
上皿１１０は、放出コイルバネ１００の上端を覆う円形の布製の皿であり、縮まった放出コイルバネ１００が伸びる際（復元する際）に、折り畳まれた誘導傘３００と重り３１０とを押し出す。底板１２０は、円形の板体であり、第２の仕切布８６０の前方に位置する。後述するように、第２の仕切布８６０には一対のハトメ穴８６１、８６２が形成されている。固定紐２００は、第２の仕切布８６０に形成されている一対のハトメ穴８６１、８６２を挿通する。
【００４１】
上皿１１０の縁部には、上皿１１０の中心部よりも降下者９９０の頭部の方へ偏心した位置に、ハトメ穴を有する一対の第１のハトメタブ１１１が設けられている。換言すれば、図４（Ａ）に示されるように、放出コイルバネ１００の中心軸Ｃから、上方向に偏心した位置に第１のハトメタブ１１１が設けられている。なお、破線Ｓｃは、放出コイルバネ１００の中心軸Ｃを含むＸＹ平面を示す。
【００４２】
また、底板１２０の縁部には、底板１２０の中心部よりも降下者９９０の頭部の方へ偏心した位置に、ハトメ穴を有する一対の第２のハトメタブ１２１が設けられている。換言すれば、図４（Ｃ）に示されるように、放出コイルバネ１００の中心軸Ｃから、上方向に偏心した位置に第２のハトメタブ１２１が設けられている。
【００４３】
図５に示されるように、上皿１１０の前方には、折り畳まれた誘導傘３００と、その折り畳まれた誘導傘３００の後方に位置する重り３１０とが配置されている。なお、図５は、図２の落下傘収納袋８００を上方向から説明するものであり、理解促進のために固定紐２００には斜線を付して説明してある。
【００４４】
重り３１０は、誘導傘３００が落下傘収納袋８００内から放出される際に、放出される誘導傘３００に慣性力を付与する。重り３１０は、連結索３２０に取付けられており、誘導傘３００の直下に設けられる。
【００４５】
次に、固定紐２００が放出コイルバネ１００を縮めて固定する構造について、詳細に説明する。
【００４６】
固定紐２００の中央部は、第２の仕切布８６０の一対のハトメ穴８６１、８６２を挿通して、第２の仕切布８６０の後ろ側を通過している。落下傘収納袋８００内には、偏心固定された放出コイルバネ１００や傘体４２０等が詰めれた状態にて収納される。そのため、外部からの衝撃等により、落下傘収納袋８００内の放出コイルバネ１００等が予期せぬ位置へずれることもありうる。しかしながら、固定紐２００の中央部が、第２の仕切布８６０の一対のハトメ穴８６１、８６２を通過するとともに、第２の仕切布８６０の後ろ側を通過することにより、たとえ外部から衝撃等が加わったとしても、放出コイルバネ１００が落下傘収納袋８００の中央部付近から位置ずれしにくい。
【００４７】
図６に示されるように、固定紐２００は、その両端部に閉ループ状に形成されたループ部２０１、２０２を有する。
【００４８】
落下傘収納袋８００の前方には、右包布８１０、左包布８２０、下包布８３０及び上包布８４０が設けられる。右包布８１０にはループ部２０１を挿通させる包布穴８１１が形成され、左包布８２０にはループ部２０２を挿通させる包布穴８２２が形成され、下包布８３０にはループ部２０１、２０２を挿通させる包布穴８３１、８３２が形成され、上包布８４０にはループ部２０１、２０２を挿通させる包布穴８４１、８４２が形成されている。
【００４９】
右包布８１０を折り畳み、次に下包布８３０を折り畳み、そして上包布８４０を折り畳むと、右包布８１０の包布穴８１１と下包布８３０の包布穴８３１と上包布８４０の包布穴８４１とは重なり、あたかも一つの包布穴（第１の包布穴）を形成する。なお、第２の仕切布８６０のハトメ穴８６１は、第１の包布穴と同一軸上にある。
【００５０】
また、落下傘収納袋８００を閉鎖させるように、左包布８２０を折り畳み、次に下包布８３０を折り畳み、そして上包布８４０を折り畳むと、左包布８２０の包布穴８２２と下包布８３０の包布穴８３２と上包布８４０の包布穴８４２とは重なり、あたかも一つの包布穴（第２の包布穴）を形成する。なお、第２の仕切布８６０のハトメ穴８６２は、第２の包布穴と同一軸上にある。
【００５１】
固定紐２００の一方のループ部２０２は、第２のハトメタブ１２１のうちの一方のハトメタブのハトメ穴と、第１のハトメタブ１１１のうちの一方のハトメタブのハトメ穴とを挿通している。
【００５２】
そして、図７に示されるように、第２の包布穴を挿通し、落下傘収納袋８００の包布の外部に突出している。なお、図７は、図２の落下傘収納袋８００を前方向から説明するものである。
【００５３】
また、固定紐２００の他方のループ部２０１は、第２のハトメタブ１２１のうちの他方のハトメタブのハトメ穴と、第１のハトメタブ１１１のうちの他方のハトメタブのハトメ穴と、を挿通している。そして、第１の包布穴を挿通し、落下傘収納袋８００の包布の外部に突出している。
【００５４】
落下傘収納袋８００の包布の外部に突出している固定紐２００の一方のループ部２０２と、落下傘収納袋８００の包布の外部に突出している固定紐２００の他方のループ部２０１とには、それぞれ、リップコードピン７２０が挿通されており、張力がかかった状態で、縮められた放出コイルバネ１００は固定紐２００により固定される。
【００５５】
２本のリップコードピン７２０には、それらを束ねるリップコードが設けられている。リップコードの右端部には取っ手７３０が取り付けられている。
【００５６】
第１の包布穴及び第２の包布穴を挿通した固定紐２００の両ループ部２０１、２０２とリップコードピン７２０との係合部分は、上包布８４０の端部に取り付けてあるリップコードカバー８４３で覆われる。
【００５７】
降下者９９０が、折り畳まれた誘導傘３００を落下傘収納袋８００から放出させる際は、降下者９９０は、取っ手７３０を引く。
【００５８】
２本のリップコードピン７２０をそれぞれ別々に引き抜くのでは、両ループ部２０１、２０２と２本のリップコードピン７２０との係合が、別々に解除される。これでは、偏心固定させた放出コイルバネ１００が予期せぬ方向へ復元しうる。しかしながら、２本のリップコードピン７２０をリップコードを介して取っ手７３０により引き抜くから、両ループ部２０１、２０２と２本のリップコードピン７２０との係合が、殆ど同時にほどかれる。
【００５９】
そして、縮められた放出コイルバネ１００が復元することにより、誘導傘３００と重り３１０とが、落下傘収納袋８００から放出される。
【００６０】
以下、図８（Ａ）〜図８（Ｅ）を用いて、誘導傘３００が、落下傘収納袋８００から放出される様子を説明する。なお、理解促進のために、図８では重り３１０を省略して記載している。
【００６１】
まず、放出コイルバネ１００は、固定紐２００にて、中心軸Ｃから上方向へ偏心した位置で固定されている。即ち、図８（Ａ）に示されるように、放出コイルバネ１００の中心軸Ｃを含むＸＹ平面Ｓｃより、上方向に偏心した位置にて、放出コイルバネ１００は固定紐２００で固定されている。
【００６２】
次に、固定紐２００による放出コイルバネ１００の縮み状態の固定が解除されると、図８（Ｂ）に示されるように、放出コイルバネ１００は下方に曲がって、縮み状態から伸び状態に復元される。これは、Ｓｃよりも上方向に偏心した位置に固定紐２００による縮み状態の固定があるので、Ｓｃより上方向位置の放出コイルバネ１００の圧縮力が、Ｓｃより下方向位置の放出コイルバネ１００の圧縮力よりも強く、放出コイルバネ１００の縮み状態の固定が解除されると、相対的に圧縮力の弱い方向に曲がって伸び状態に復元されるためと考えられる。このため、図８（Ｂ）に矢印で示される方向に、誘導傘３００が放出される力が働く。
【００６３】
次に、図８（Ｃ）に示されるように、図８（Ｂ）で矢印にて示された方向に、誘導傘３００が放出される。
【００６４】
そして、図８（Ｄ）及び図８（Ｅ）で示されるように、誘導傘３００は、降下者９９０の斜め上方向へ放出される。誘導傘３００が降下者９９０の斜め上方向へ放出されるから、誘導傘３００の開傘位置の高度を比較的高くすることができ、そのため、傘体４００を落下傘収納袋８００から引き出すまでの時間を短くできる。
【００６５】
また、誘導傘３００が降下者９９０の斜め上方向へ放出されるから、開傘した誘導傘３００と落下傘収納袋８００から引き出された傘体４００等との絡まりが生じにくい。
【００６６】
これに対して、仮に、固定紐２１０が、放出コイルバネ１９０の中心軸Ｃから下方向へ偏心した位置で、放出コイルバネ１９０を縮めて固定する場合は、上述したような開傘速度の短縮及び絡まり抑制の効果を得ることは困難である。以下、図９（Ａ）に示されるように、放出コイルバネ１９０の中心軸Ｃを含むＸＹ平面Ｓｃより下方向に偏心した位置で、放出コイルバネ１００が固定紐２１０で固定される場合を説明する。
【００６７】
固定紐２１０による放出コイルバネ１００の縮み状態の固定が解除されると、図９（Ｂ）に示されるように、放出コイルバネ１９０は上方に曲がって、縮み状態から伸び状態に復元される。このため、図９（Ｂ）にて矢印で示される方向に、誘導傘３００が放出される力が働く。
【００６８】
次に、図９（Ｃ）に示されるように、図９（Ｂ）で矢印にて示された方向に、誘導傘３９０が放出される。
【００６９】
そして、図９（Ｄ）及び図９（Ｅ）で示されるように、誘導傘３９０は、重力加速に放出コイルバネ１９０の力が加わるため、降下者９９０のかなりの下方向へ放出されてしまう。かかる場合、誘導傘３９０は降下者よりも低い位置で開傘し、しかも降下速度は比較的大きくないため、誘導傘３９０の抗力は小さくなる。そのため、誘導傘３９０が傘体４００を落下傘収納袋８００から引き出すまでの時間がかかることになる。これでは、例えば１５０〜３００ｍの高度で降下する空挺作戦降下において、主傘異常時に傘体４２０が完全に開傘して減速する余裕がなく、降下者９９０が通常より早い降下速度で着地して受傷することもありうる。
【００７０】
さらには、誘導傘３９０が降下者９９０の下方向へ放出された場合には、誘導傘３９０と降下者９９０等との絡まりが生じるおそれもある。
【００７１】
これに対し、上述したように、本実施形態に係る発明では、固定紐２００は、放出コイルバネ１００の中心軸Ｃから上方向へ偏心した位置で、放出コイルバネ１００を縮めて固定するから、誘導傘３００等は降下者９９０の斜め上方向へ放出され、その結果、開傘速度の短縮及び誘導傘３００の絡まり等が起こりにくい。このように本実施形態に係る発明から得られる利益は計り知れない。
【図面の簡単な説明】
【００７２】
【図１】本実施形態に係る誘導傘の放出コイルバネの固定構造を、緊急用落下傘の側面から説明する図である。
【図２】落下傘収納袋が降下者に取り付けられる一具体例を説明する図である。
【図３】固定紐の偏心について説明する図である。
【図４】放出コイルバネを詳細に説明する図であり、そのうち（Ａ）は上皿を説明する図であり、（Ｂ）は放出コイルバネを説明する図であり、（Ｃ）は底板を説明する図である。
【図５】本実施形態に係る誘導傘の放出コイルバネの固定構造を、降下者の下方向から説明する図である。
【図６】落下傘収納袋を詳細に説明する図である。
【図７】本実施形態に係る誘導傘の放出コイルバネの固定構造を、降下者の前方向から説明する図である。
【図８】本実施形態に係る誘導傘の放出コイルバネの固定構造により、誘導傘が放出される状態を説明する図であり、そのうち（Ａ）は放出コイルバネの固定状態であり、（Ｂ）は誘導傘が放出される方向であり、（Ｃ）は放出された誘導傘であり、（Ｄ）及び（Ｅ）は放出された後の誘導傘である。
【図９】比較例に係る誘導傘の放出コイルバネの固定構造により、誘導傘が放出される状態を説明する図であり、そのうち（Ａ）は放出コイルバネの固定状態であり、（Ｂ）は誘導傘が放出される方向であり、（Ｃ）は放出された誘導傘であり、（Ｄ）及び（Ｅ）は放出された後の誘導傘である。
【符号の説明】
【００７３】
１００    放出コイルバネ
１１０    上皿
１２０    底板
１３０    ネット
２００    固定紐
３００    誘導傘
３１０    重り
４００    緊急用落下傘
４２０    傘体
７１０    装着用フック
７２０    リップコードピン
７３０    取っ手
８００    落下傘収納袋
８１０    右包布
８２０    左包布
８３０    下包布
８４０    上包布
８４３    リップコードカバー
８５０    第１の仕切布
８６０    第２の仕切布
９００    誘導傘の放出コイルバネの固定構造
９９０    降下者
【図１】
2010036749.tif 000003
【図２】
2010036749.tif 000004
【図３】
2010036749.tif 000005
【図４】
2010036749.tif 000006
【図５】
2010036749.tif 000007
【図６】
2010036749.tif 000008
【図７】
2010036749.tif 000009
【図８】
2010036749.tif 000010
【図９】
2010036749.tif 000011